(57)【要約】      （修正有）【課題】視認性を維持し、かつ、低コストで製造可能な反射シートを提供する。【解決手段】シート状の非反射部４と、光源からの光を反射する複数の反射部５とを備え、平面視において非反射部と反射部とが混在している反射シート１であって、透明なシート部材２と、反射材料で構成された反射部材３とを備え、反射部材がシート部材の光源側の面とは反対側の面に配置され、反射部が平面視において反射部材が配置された部分により構成され、非反射部が平面視において、反射部材が配置された部分以外の部分により構成されている。【選択図】図１
2018116114.tif 000002
【特許請求の範囲】
【請求項１】
シート状の非反射部と、光源からの光を反射する複数の反射部と、を備え、
平面視において、前記非反射部と前記反射部とが混在していることを特徴とする反射シート。
【請求項２】
少なくとも前記非反射部が、柔軟性を有することを特徴とする請求項１に記載の反射シート。
【請求項３】
前記反射部が、帯状に形成されていることを特徴とする請求項１又は２に記載の反射シート。
【請求項４】
前記複数の反射部が、同じ方向に延在するように配置されていることを特徴とする請求項１〜３のいずれか１項に記載の反射シート。
【請求項５】
透明なシート部材と、反射材料で構成された反射部材と、を備え、
前記反射部材が、前記シート部材の、前記光源側の面とは反対側の面に配置され、
前記反射部が、平面視において、前記反射部材が配置された部分により構成され、
前記非反射部が、平面視において、前記反射部材が配置された部分以外の部分により構成されていることを特徴とする請求項１〜４のいずれか１項に記載の反射シート。
【請求項６】
前記反対側の面に裏地部材をさらに備え、
前記裏地部材が、前記シート部材との間に前記反射部材を挟むように設けられていることを特徴とする請求項５に記載の反射シート。
【発明の詳細な説明】
【技術分野】
【０００１】
本発明は、反射シートに関するものである。
【背景技術】
【０００２】
従来、車両の運転者に路上の作業者等の存在を認知させるために、高視認性の安全服が用いられている。高視認性の安全服としては、ジャケット、シャツ、ベスト、パンツやレインウェア等の安全服本体に、腕、胴、足等の一部分に反射材料を一周させて配置したものや、両肩から腹部に向かって、たすき状に反射材料を配置したものが種々提案されている（例えば、特許文献１参照）。
【０００３】
特許文献１に記載の安全ベストは、右前身頃、左前身頃及び後身頃からなり、右前身頃及び左前身頃の正面と、後身頃の背面には、反射帯が取り付けられている。また、反射帯は、両肩から中心に向かって略Ｖ字状になるように配置され、また、胴回りに一周するように配置されている。
【０００４】
また、反射材料は、高視認性の安全服以外にも、工事用看板等の各種看板、道路標識等の標識やサイン等にも用いられている。
【先行技術文献】
【特許文献】
【０００５】
【特許文献１】登録実用新案第３２００３６９号公報
【発明の概要】
【発明が解決しようとする課題】
【０００６】
しかしながら、反射シートに対して光を照射したときに反射により視認させたい部分全体に反射材料を用いると、製造コストが高くなってしまうという問題があった。
【０００７】
従って、本発明は、上記のような問題点に着目し、視認性を維持し、低コストで製造可能な反射シートを提供することを目的とする。
【課題を解決するための手段】
【０００８】
本発明の反射シートは、シート状の非反射部と、光源からの光を反射する複数の反射部と、を備え、平面視において、前記非反射部と前記反射部とが混在していることを特徴とする。
【０００９】
本発明の反射シートにおいては、少なくとも前記非反射部が、柔軟性を有していてもよい。
【００１０】
本発明の反射シートにおいては、前記反射部が、帯状に形成されていることが好ましい。
【００１１】
本発明の反射シートにおいては、前記複数の反射部が、同じ方向に延在するように配置されていることが好ましい。
【００１２】
本発明の反射シートにおいては、透明なシート部材と、反射材料で構成された反射部材と、を備え、前記反射部材が、前記シート部材の、前記光源側の面とは反対側の面に配置され、前記反射部が、平面視において、前記反射部材が配置された部分により構成され、前記非反射部が、平面視において、前記反射部材が配置された部分以外の部分により構成されていることが好ましい。
【００１３】
本発明の反射シートにおいては、前記反対側の面に裏地部材をさらに備え、前記裏地部材が、前記シート部材との間に前記反射部材を挟むように設けられていることが好ましい。
【発明の効果】
【００１４】
本発明の反射シートによれば、シート状の非反射部と、光を反射する複数の反射部とが、平面視において混在している。これにより、同じ量の反射材料で、より広範囲において光を反射させることができる。よって、視認性を維持し、低コストな反射シートとすることができる。
【図面の簡単な説明】
【００１５】
【図１】本発明の一実施形態にかかる反射シートを模式的に示す図であり、図１（ａ）は平面図であり、図１（ｂ）は断面図である。
【図２】本発明の変形例にかかる反射シートを模式的に示す平面図である。
【図３】本発明の従来例にかかる反射シートを模式的に示す図である。
【図４】本発明の実施例及び従来例における視認性試験の結果を示す図である。
【発明を実施するための形態】
【００１６】
本発明の一実施形態にかかる反射シートについて説明する。
【００１７】
本実施形態にかかる反射シート１は、図１に示すように、反射シート１の外形と同形状の透明なシート部材２と、反射材料で構成された反射部材３と、を備えている。反射シート１においては、反射部材３が、シート部材２の、光源側の面とは反対側の面（後述する「裏面」）に配置されている。なお、本実施形態の反射シート１においては、光源からの光を反射する面（光源側の面）を反射面、反射面とは反対側の面を裏面と称する。また、反射シートの縦方向、横方向、上下左右は、図１（ａ）の紙面縦方向、横方向、上下左右に対応するものとする。また、図１（ｂ）においては、紙面上側が反射面側、紙面下側が裏面側を示している。
【００１８】
また、反射シート１は、シート状の非反射部４と、光源からの光を反射する複数の反射部５と、を備えている。また、反射シート１の平面視において、非反射部４と反射部５とが混在している。反射部５は、平面視において、反射部材３が配置された部分により構成されている。また、非反射部４は、平面視において、反射部材３が配置された部分以外の部分により構成されている。
【００１９】
シート部材２は、樹脂を用いて厚さ０．１ｍｍのシート状に形成されており、透明である。シート部材２を構成する材料は特に限定されないが、例えば、ポリ塩化ビニル、ポリエチレン、エチレン・酢酸ビニル共重合体樹脂、ポリオレフィン、ポリエステル等を用いることができる。また、シート部材２の厚さは、反射シートの材質、使用環境や使用態様等に合わせて、適切な寸法に設定することができる。例えば、シート部材が塩化ビニル製の反射シートを安全服に用いる場合には、シート部材２を０．０３ｍｍ〜０．５ｍｍ程度の厚さとすることが好ましい。
【００２０】
本実施形態の反射シート１においては、反射部材３は、幅２ｍｍの直線状に形成されている。また、図１（ａ）に示すように、反射部材３は、互いに間隔をあけて（例えば、本実施形態においては８ｍｍ程度の間隔をあけて）、かつ、同じ方向に沿って延在するように反射シート１上に複数配置されている。
【００２１】
複数の反射部同士の間隔は、反射部の幅寸法や反射部の配置、反射面における所望の輝度、光源の光の強度により、適宜設定することができる。また、反射部は、反射シート上に無秩序に配置されていてもよいが、同じ方向に沿って延在するように配置されていることにより、光が照射されたときの反射面における輝度の理論値を算出するなどして、反射の程度を想定することが容易になり、使用環境や使用態様に合わせた反射シートを設計しやすくすることができる。また、反射シートを製造するときに、非反射部に対して反射部を配置することが容易となり、より製造適性を向上させることができる。
【００２２】
また、図１（ｂ）に示すように、反射部材３は、シート部材２の、光源側の面とは反対側の面（裏面）に配置されている。反射部材は、反射シートの反射面側（光源側の面）に配置されていてもよいが、本実施形態の反射シート１のように、反射部材３が裏面に配置されていることにより、反射部材３の摩耗を抑制することができる。
【００２３】
また、反射部材が反射シートの反射面側に配置されている場合、シート部材は透明でなくてもよい。
【００２４】
また、反射部の寸法は、本実施形態においては例えば幅２ｍｍに形成されているが、特に限定されるものではなく、反射シートの反射面における所望の輝度に合わせて適宜変更することができる。また、反射部の形状は、規則性のない形状でもよいし、本実施形態のように規則性を有する形状でもよい。反射部が規則性を有する形状に形成されていることにより、光が照射されたときの反射面における輝度の理論値を算出するなどして、反射の程度を想定することが容易になり、使用環境や使用態様に合わせた反射シートを設計しやすくすることができる。
【００２５】
また、反射部が規則性を有する形状に形成されている場合、反射部の形状は、帯状であることが好ましい。本明細書における「帯状」とは、ある程度の幅を有した長尺の形状を示しており、反射部５のように直線状でもよいし、直線状以外の形状、例えば、波形状、矩形波状、三角波状、のこぎり波状等の形状に構成されていてもよい。反射部が帯状に形成されていることにより、反射シートの光が照射されたときの反射面における輝度の理論値を算出するなどして、反射の程度を想定することが容易になり、使用環境や使用態様に合わせた反射シートを設計しやすくすることができる。さらに、反射部が帯状に形成されていることにより、反射シートを製造するときに、非反射部に対して反射部を配置することが容易となり、より製造適性を向上させることができる。
【００２６】
複数の反射部は、図１（ａ）に示すように、反射シートの一方向に沿って（すなわち、図１（ａ）のように紙面縦方向にのみ）配置されていてもよい。また、図２に示すように、複数の反射部が反射シートの２方向以上に沿って配置されていてもよい。
【００２７】
図２は、異なる配置の反射部を備える反射シートを例示する図である。図２（ａ）に示す反射シート１ａにおいては、シート部材２に複数の反射部材３ａが格子状に配置されている。また、反射部５ａが、平面視において、反射部材３ａが配置された格子状の部分により構成され、非反射部４ａが、格子状の反射部５ａに囲まれた四角形状の部分により構成されている。また、図２（ｂ）に示す反射シート１ｂにおいては、シート部材２に複数の反射部材３ｂが右上から左下、及び、左上から右下に向かって互いに交差するように配置されている。また、反射部５ｂが、平面視において、反射部材３ｂが配置された部分により構成され、非反射部４ｂが、反射部５ｂに囲まれたひし形状の部分により構成されている。また、直線状の反射部と、波形状の反射部を併せて用いるなど、異なる形状の反射部を組み合わせて配置してもよい。
【００２８】
また、反射材料とは、反射材料に対して光源からの光が照射された場合に、その光を反射するように構成されたフィルム状の材料や塗料による塗膜を指す。反射材料における反射原理としては、拡散反射（乱反射）、鏡面反射、及び、再帰性反射があり、本実施形態の反射部５を構成する反射部材３には、特に高い視認性が得られる点で、再帰性反射材料を用いることが好ましい。また、反射材料の形態は、特に限定されるものではなく、例えば、フィルムを帯状に構成したテープ状のものを用いることができる。フィルム状の材料（特に、テープ状の材料）を用いる場合には、接着剤を用いる方法や、熱接着等により反射材料を接着して反射部材を形成することができる。接着剤は特に限定されないが、例えば、ウレタン系接着剤、アクリル系接着剤、エポキシ系接着剤、エチレン‐酢酸ビニル樹脂系接着剤等を用いることができる。また、フィルム状の材料の方が、一般的に、塗料による塗膜よりも反射性能に優れている。また、フィルム状の材料を用いる場合、シート部材に反射部材を熱接着等するだけで反射シートを製造することができ、低コストで簡便に反射シートを製造することができる。よって、反射材料として、フィルム状の材料を好適に用いることができる。
【００２９】
また、再帰性反射材料としては、その構成により大別して、ガラスビーズ型の反射材料と、プリズム型の反射材料とが挙げられる。ガラスビーズ型の反射材料とは、ガラスビーズを反射材料表面に配置し、光源からの光をガラスビーズ内で反射させて、反射光を光源方向に戻すものである。プリズム型の反射材料とは、反射材料の表面に、直角三角錐体のプリズムが配置されたものであり、光源からの光をプリズムの３つの面で反射させて、反射光を光源方向に戻すものである。反射部材に、再帰性反射材料を用いる場合、ガラスビーズ型、プリズム型のどちらの反射材料も用いることができる。
【００３０】
本実施形態の反射シート１によれば、シート状の非反射部４と、光を反射する複数の反射部５とが、平面視において混在している。反射部５で反射された反射光は、離れた場所で見る場合、反射部５の面積よりも広がって見える。これにより、従来の反射シートと同じ量の反射材料を用いた際、非反射部と反射部とを混在させて、より広い面積に分散させて反射部を配置した本発明では、より広範囲において光を反射させることができる。よって、視認性を維持し、かつ、低コストな反射シートとすることができる。
【００３１】
また、本実施形態の反射シート１において、少なくとも非反射部４が柔軟性を有していてもよい。本実施形態の反射シート１において、非反射部４に柔軟性をもたせるには、シート部材２を、柔軟性を有する材料で構成すればよい。また、「柔軟性を有する」とは、反射シートに力が加わった場合に、その力に追随して容易に形状を変化させることができる性質を指す。本実施形態の反射シート１によれば、全面に反射材料を配置した場合に比べて、反射シート１の柔軟性を高めることができ、反射シート１の形状追随性を高めることができる。よって、例えば衣料（安全服）など、柔軟性が求められるものに対して、本実施形態の反射シート１を好適に用いることができる。
【００３２】
また、反射シートの面積を１００％としたときの反射部の面積率は、反射部に再帰性反射材料を用いた場合、１％〜６０％であることが好ましく、７％〜４０％であることがより好ましい。反射部の面積率を適切な数値範囲に設定することにより、光源からの光を反射したときに、近接して配置された反射部に対する反射光同士が隣り合って、又は、重なって見えることにより、反射部が配置された一面（すなわち、反射シート全体）が反射して光っているように視認させることができる。よって、このような反射シートを用いた安全服、各種看板、標識やサイン等において、高い視認性が求められるような使用環境、使用態様に対応して、視認性をより高くすることができる。なお、高い視認性の要求度が高くない使用環境、使用態様においては、必ずしも面積率の数値範囲を規定しなくてもよい。また、反射部の面積率を高くし過ぎると、製造コストが高くなり、また、非反射部に柔軟性をもたせたとしても、反射シートの柔軟性が低くなる。よって、反射部の面積率を適切な範囲に設定することにより、例えば衣料（安全服）などの柔軟性が求められる対象に反射シートを用いる場合にも、反射シートを加工しやすく、また、使用者が快適に使用することができる。
【００３３】
また、反射部に用いた反射材料の輝度Ｌ１（ｃｄ／（ｌｕｘ・ｍ２））と、反射シートの面積Ｓ０（ｍ２）、及び、反射部の面積Ｓ１（ｍ２）を用いて、下記（式１）により、反射シートの単位面積あたりの理論輝度Ｌ（ｃｄ／（ｌｕｘ・ｍ２））を算出することができる。
Ｌ（ｃｄ／（ｌｕｘ・ｍ２））＝Ｌ１×Ｓ１／Ｓ０  ・・・（式１）
【００３４】
前記（式１）により理論輝度Ｌを算出した場合に、反射シートの理論輝度Ｌが１５（ｃｄ／（ｌｕｘ・ｍ２））以上であることが好ましく、９０（ｃｄ／（ｌｕｘ・ｍ２））以上であることがより好ましい。理論輝度を適切な数値範囲に設定することにより、製造コストを抑えながらも、光源からの光を反射したときに、十分な輝度が得られ、また、反射部が配置された一面が反射して光っているように視認させることができる。よって、このような反射シートを用いた安全服、各種看板、標識やサイン等において、高い視認性が求められる使用環境、使用態様に合わせて、視認性をより高くすることができる。なお、高い視認性の要求度が高くない使用環境、使用態様においては、必ずしも理論輝度の数値範囲を規定しなくてもよい。
【００３５】
なお、本発明は、前記実施形態に限定されるものではなく、本発明の目的が達成できる他の構成等を含み、以下に示すような変形等も本発明に含まれる。
【００３６】
本発明の反射シートには、さらに、反射シートの強度を高めるための、補強部材が設けられていてもよい。補強部材は、反射部と同じような形状や配置でもよく、例えば、帯状に形成され、複数の補強部材が互いに間隔をあけて同じ方向に延在するように配置されていてもよい。補強部材は、例えば、反射部と組み合わせて設けることができる。例えば、縦方向に反射部を配置し、横方向に補強部材を配置して、反射部と補強部材とが格子状になるように配置することができる。また、例えば、縦方向に補強部材を配置し、横方向に反射部を配置して、補強部材と反射部とが格子状になるように配置することができる。また、例えば、縦方向に直線上の反射部を配置し、縦方向に波形状の補強部材を配置することができる。補強部材を構成する材料としては、例えば、ポリエステル製、ナイロン製、ポリオレフィン製などのスパン糸、フィラメント糸、フラットヤーン等を好適に用いることができる。
【００３７】
本発明の反射シートは、反射部材が透明なシート部材の裏面側に設けられている場合、光源側の面（反射面）とは反対側に裏地部材をさらに備え、裏地部材が、シート部材との間に反射部材を挟むように設けられていてもよい。反射部材を挟むように裏地部材を設けることにより、反射部材の摩耗をさらに抑制することができる。すなわち、反射部材をシート部材と裏地部材とにより保護することができ、反射シートの反射性能を長期間に亘って維持することができる。
【００３８】
また、本発明の反射シートに、裏地部材を反射面とは反対側に設ける場合、裏地部材は、透明な樹脂製のシートで構成されていてもよいし、不透明な樹脂製のシートや布地により構成されていてもよい。例えば、裏地部材が蛍光色のシートや布地で構成されていることにより、昼間の屋外等の明るい場所での視認性を高くすることができる。
【００３９】
その他、本発明を実施するための最良の構成、方法などは、以上の記載で開示されているが、本発明は、これに限定されるものではない。すなわち、本発明は、主に特定の実施形態に関して特に説明されているが、本発明の技術的思想及び目的の範囲から逸脱することなく、以上述べた実施形態に対し、形状、材質、数量、その他の詳細な構成において、当業者が様々な変形を加えることができるものである。
【００４０】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【実施例】
【００４１】
以下、実施例を挙げて、本発明をより具体的に説明する。但し、本発明は、以下の実施例により限定されるものではない。
【００４２】
［反射シートの作製］
（実施例１）
本実施例においては、縦４５０ｍｍ×横３００ｍｍの反射シートを作製した。材料は、反射面側のシート部材として、軟質ポリ塩化ビニル製の透明フィルム（幅３００ｍｍ×長さ４５０ｍｍ×厚さ０．１ｍｍ、以下、「フィルムＡ」と称する）、裏地部材として、軟質ポリ塩化ビニル製フィルム（縦４５０ｍｍ×横３００ｍｍ×厚さ０．１ｍｍ、以下「フィルムＢ」と称する）、反射部材として、２ｍｍ幅のマイクロプリズムヤーン（プリズム型再帰性反射材料、輝度１０００ｃｄ／（ｌｕｘ・ｍ２））を用いた。
【００４３】
まず、フィルムＡ、フィルムＢのそれぞれに、ウレタン系接着剤を１５ｇ／ｍ２でグラビアコーターを用いて塗布した。次に、フィルムＡの接着剤面にマイクロプリズムヤーンの反射面を向けて、縦方向に５ｍｍ間隔でマイクロプリズムヤーンを並べて、ローラーを用いてマイクロプリズムヤーンを圧着した。次に、フィルムＢの接着剤を塗布した面をマイクロプリズムヤーン側にして重ねて、室温で１２０秒間、プレスにより圧着（０．２５ＭＰａ）した後、一晩おいて、反射シートを得た。
【００４４】
表１に、反射シートの構成、反射面積率、理論輝度を示した。反射面積率は、反射シート全体の面積を１００％としたときの、再帰性反射材料の面積の割合を算出した値とした。平均理論輝度については、反射材料の輝度Ｌ１（ｃｄ／（ｌｕｘ・ｍ２））と、反射シートの面積Ｓ０（ｍ２）、及び、反射部の面積Ｓ１（ｍ２）を用いて、下記（式１）により、反射シートの単位面積あたりの理論輝度Ｌ（ｃｄ／（ｌｕｘ・ｍ２））を算出した。
Ｌ（ｃｄ／（ｌｕｘ・ｍ２））＝Ｌ１×Ｓ１／Ｓ０  ・・・（式１）
【００４５】
（実施例２）
再帰性反射材料同士の間隔を１０ｍｍにしたこと以外は、実施例１と同様の方法により反射シートを得た。
【００４６】
（実施例３）
再帰性反射材料同士の間隔を２０ｍｍにしたこと以外は、実施例１と同様の方法により反射シートを得た。
【００４７】
（実施例４）
再帰性反射材料同士の間隔を４０ｍｍにしたこと以外は、実施例１と同様の方法により反射シートを得た。
【００４８】
（実施例５）
再帰性反射材料同士の間隔を８０ｍｍにしたこと以外は、実施例１と同様の方法により反射シートを得た。
【００４９】
（実施例６）
再帰性反射材料同士の間隔を１２０ｍｍにしたこと以外は、実施例１と同様の方法により反射シートを得た。
【００５０】
（従来例）
従来のベスト状の安全服を想定して、図３に示すように、縦４５０ｍｍ×横３００ｍｍの透明なシート２０上に再帰性反射材料３０を配置して従来例の反射シート１０を作製した。すなわち、実施例１〜６で用いたものと同じ再帰性反射材料を、下端から４０ｍｍの高さまで、横幅全体に亘って配置し、さらに、横幅４０ｍｍで、左上から右下、及び、右上から左下に向かって、下端に配置した再帰性反射材料の両端から５０ｍｍの位置に連なるように配置した。反射シート全体を１００％としたときの再帰性反射材料の面積率は３３％であった。また、理論輝度については、従来例の反射シートは、反射材料が反射シート全体に配置されたものではなく、理論輝度を指標とすることができないため、省略した。
【００５１】
［反射シートの評価（視認性試験）］
反射シートの評価は、自動車のライトが反射シートに照射されたときに、どの程度の視認性が得られるかの視認性試験をモニターの評価により行った。評価は、明るく、よく視認できる（○）、少し明るく、視認できる（△）、視認できない（×）の３段階により行った。表２に、視認性試験の結果を示した。
【００５２】
まず、反射シートの上端の地面からの高さが１３２５ｍｍとなるように、左から従来例の反射シート、実施例１〜６の反射シートの順に、横方向に配置した。次に、実施例及び従来例の反射シートに対して、自動車のハイビームを照射し、反射シートから１００ｍ離れた位置、及び２００ｍ離れた位置から視認性の評価を行った。図４に、視認性試験の結果を写真で示した。
【００５３】
【表１】
2018116114.tif 000003
【００５４】
［結果及び考察］
【００５５】
【表２】
2018116114.tif 000004
【００５６】
従来例においては、表２、図４に示すように、１００ｍまたは２００ｍ離れた場所において、反射シートを視認できることが示された。
【００５７】
実施例１〜６の反射シートに対してハイビームを照射したところ、従来例よりも使用した反射材料の量が少ないにもかかわらず、１００ｍまたは２００ｍ離れた場所において、反射シートを視認できることが確認された。また、反射部の面積率、及び、反射シートの理論輝度がより高い実施例１〜３においては、実施例４〜６の反射シートよりも明るく見え、視認性が高いことが示された。また、実施例１〜４においては、隣り合う反射光同士の境界がなく、反射シート全体が反射して光っているように視認された。よって、反射部の面積率や反射シートの理論輝度を適切な範囲に設定することにより、より高い視認性が得られることが示された。
【００５８】
以上の評価結果より、本発明の例示的態様である実施例１〜６においては、同じ量の反射材料で、より広範囲において光を反射させることができ、視認性を維持し、かつ、低コストな反射シート得ることができることが示された。
【産業上の利用可能性】
【００５９】
本発明の反射シートは、例えば、以下のような用途に用いることができる。夜間等工事現場における安全対策のための物品（例えば、作業服、工事エリア全体に敷設したり、展帳するためのシート等）、夜間等道路安全対策のための物品（例えば、中央分離帯、路側帯、ガードレール等に敷設、展帳するためのシート等）、救命用具（例えば、ライフジャケット、救命ボート、遭難・被災時用シート等）、テント・倉庫、トラックの幌用のシート、工場・倉庫出入口カーテン・間仕切り等）レインコートなどの衣料、傘、鞄等に用いることができ、これらの用途に用いる場合には、反射シートに柔軟性をもたせることが好ましい。また、日用品、ペット用品、玩具、サインディスプレイ、広告宣伝用メディア等にも用いることができ、これらの用途に用いる場合には、反射シートに柔軟性をもたせてもよいし、反射シートが柔軟性を有していなくてもよい。
【符号の説明】
【００６０】
１、１ａ、１ｂ          反射シート
２                      シート部材
３、３ａ、３ｂ          反射部材
４、４ａ、４ｂ          非反射部
５、５ａ、５ｂ          反射部
【図１】
2018116114.tif 000005
【図２】
2018116114.tif 000006
【図３】
2018116114.tif 000007
【図４】
2018116114.tif 000008